(57)【要約】      （修正有）【課題】施工が容易で強度においてもすぐれたデッキ材として提供する。【解決手段】セラミックス材により長尺の平板状で表面に凹凸による立体的模様１１を施したデッキ用板状材１０を、裏面の平坦面に板状材１０の長手方向に対して交差する淺溝１６を多数並設することにより、全体的には平坦面をなす頂面を備えた多数の一定幅の凸支持条部１８が淺溝間に並設され、根太等の構造材３０上に敷設する受け材２０は、金属材により形成された上面板２２と下面板２３との間を板状材１０の長手方向に向く複数のリブ２４により相互に連結した強固な載置台部２１を備え、下部の固定用部片２６により構造材３０に固定する。【選択図】図１
2020139285.tif 000002
【特許請求の範囲】
【請求項１】
セラミックス材により長尺の平板状に成形されたデッキ用板状材と、該デッキ用板状材を根太或いはそれに相当する構造材上に並べて敷設するための該デッキ用板状材の受け材とによって構成され、
上記デッキ用板状材は、その表面に微小な凹凸による立体的模様が付されると共に、その模様に適合する着色が施され、該板状材の裏面は、平坦面に該板状材の長手方向に対して交差する方向に向けた一定幅の淺溝を一定間隔で多数並設することにより、全体的には平坦面をなす頂面を備えた多数の一定幅の凸支持条部が上記淺溝間に並設されたものとして構成され、
一方、上記デッキ用板状材の受け材は、アルミニウム系金属材により形成されて、長さ及び幅を上記デッキ用板状材に適合させた上面板と下面板とを、間隔を保持して上下に対向させると共に、それらの間に該上面板及び下面板の長手方向に向けて配設した複数のリブによりそれらを相互に連結してなるデッキ用板状材の載置台部を備え、該載置台部の一方の側端下部に沿って、該載置台部を上記根太等の構造材上に固定するための固定用部片を突設すると共に、該載置台部の他方の側端下部に、該受け材の設置時に隣接する載置台部の上記固定用部片に被着する凹部を、該固定用部片の挿入長を調整可能に凹設することにより構成され、
上記デッキ用板状材は、上記受け材の平坦な上面板上における該板状材の固定位置に、柔軟性のある接合剤を介して、該板状材における裏面の平坦面をなす多数の凸支持条部の頂面を載置固定している、
ことを特徴とするデッキ材。
【請求項２】
請求項１に記載のデッキ材において、
上記受け材における載置台部の側端下部に沿って設けた固定用部片の先端側から係止部片を延出させ、一方、該載置台部の他方の側端下部の凹部の下方に、隣接設置されている受け材における上記係止部片の下部に進入して、該凹部を設けた側の受け枠が上動するのが抑止される下敷板を設けている、
ことを特徴とするデッキ材。
【請求項３】
請求項１または２に記載のデッキ材において、
上記受け材における上面板の周辺の全部または一部に、該上面板に載置固定するデッキ用板状材の該上面板上への固定の位置決めをする位置決め突片を設けている、
ことを特徴とするデッキ材。
【請求項４】
請求項１〜３のいずれかに記載のデッキ材において、
上記デッキ用板状材の受け材が、該受け材を構成する各要素をアルミニウム系金属材の押出成形によって一体化したものとして成型した押出成型材を、上面板の幅に相当する長さに切断することにより形成されている、
ことを特徴とするデッキ材。
【請求項５】
請求項１〜４のいずれかに記載のデッキ材において、
上記デッキ用板状材の表面に付される微小な凹凸による立体的模様が、木目模様、大理石模様、或いは幾何学的模様である、
ことを特徴とするデッキ材。
【請求項６】
請求項１〜５のいずれかに記載のデッキ材において、
上記デッキ用板状材を上記受け材の上面板上に固定する接合剤がシリコーンシーラントである、
ことを特徴とするデッキ材。
【発明の詳細な説明】
【技術分野】
【０００１】
本発明は、平板状であるが、表面に木目模様や大理石模様等の立体的模様を付し、それを微小な凹凸による粗面により形成すると共に、その模様に適合する着色を施したセラミックス材を、アルミニウム系金属材からなる受け材で支持させることにより構成したデッキ材に関するものである。
【背景技術】
【０００２】
成形、焼成の工程を経て得られるところの非金属無機材料であるセラミックス（セラミックタイル）は、それ自体の強度や硬度において優れ、しかも比較的安価に提供できるため、従来から、それを平板状のデッキ材として、路面や建造物の床面等の車両や通行人が利用する路面等に敷設して使用されている。しかるに、該セラミックスで構成されるデッキ材は、その表面に、例えば、木目模様や大理石模様等を微細な凹凸や着色によって付することが可能であることから、あまり広範囲でない住環境における歩行用等の設置面に対し、該デッキ材を比較的簡易な施工によって、根太或いはそれに相当する部材等の上に並べて敷設することも可能であるため、そのような施工によるデッキ材の利用範囲の拡大が望まれている。
【０００３】
しかしながら、上述したようなデッキ材を、その施工が比較的容易なものとするためには、そのデッキ材を、根太或いはそれに相当する部材上に並べて敷設するのに適した平面積と厚さとを有する装飾性のある板状材として成形するのが望ましく、その場合には、木材等からなるデッキ材と同様に、施工者が簡易に取り扱いできるような一定長を持つ比較的薄い板状材として該セラミックスを成形することが望ましいが、それによって、デッキ材を構成する板状材の強度が低下する可能性が高くなり、そのため、該板状材の形態を、その上に乗る重量物に対して可及的に耐え得る形態にするだけでなく、それを何らかの資材から成る受け材で支持させて、板状材に或る程度の荷重が作用するにしても、曲げ応力が作用するのは極力抑制するようにして補強する必要がある。
【発明の概要】
【発明が解決しようとする課題】
【０００４】
本発明の技術的課題は、平板状であるが、表面に木目模様や大理石模様等を凹凸によって付された装飾性の高い粗面として形成できると共に、その模様に適合する着色をも施し得るセラミックス材を、適切な金属材からなる受け材で補強を行うようにして支持させることにより、施工が容易で強度においてもすぐれ、仮に部分的に破損したとしてもそれを容易に補修できるようにしたデッキ材として提供することにある。
【課題を解決するための手段】
【０００５】
上記課題を解決するため、本発明によれば、セラミックス材により長尺の平板状に成形されたデッキ用板状材と、該デッキ用板状材を根太或いはそれに相当する構造材上に並べて敷設するための該デッキ用板状材の受け材とによって構成され、上記デッキ用板状材は、その表面に微小な凹凸による立体的模様が付されると共に、その模様に適合する着色が施され、該板状材の裏面は、平坦面に該板状材の長手方向に対して交差する方向に向けた一定幅の淺溝を一定間隔で多数並設することにより、全体的には平坦面をなす頂面を備えた多数の一定幅の凸支持条部が上記淺溝間に並設されたものとして構成され、一方、上記デッキ用板状材の受け材は、アルミニウム系金属材により形成されて、長さ及び幅を上記デッキ用板状材に適合させた上面板と下面板とを、間隔を保持して上下に対向させると共に、それらの間に該上面板及び下面板の長手方向に向けて配設した複数のリブによりそれらを相互に連結してなるデッキ用板状材の載置台部を備え、該載置台部の一方の側端下部に沿って、該載置台部を上記根太等の構造材上に固定するための固定用部片を突設すると共に、該載置台部の他方の側端下部に、該受け材の設置時に隣接する載置台部の上記固定用部片に被着する凹部を、該固定用部片の挿入長を調整可能に凹設することにより構成され、上記デッキ用板状材は、上記受け材の平坦な上面板上における該板状材の固定位置に、柔軟性のある接合剤を介して、該板状材における裏面の平坦面をなす多数の凸支持条部の頂面を載置固定していることを特徴とするデッキ材が提供される。
【０００６】
上述の本発明に係るデッキ材の好ましい実施形態においては、上記受け材における載置台部の側端下部に沿って設けた固定用部片の先端側から係止部片を延出させ、一方、該載置台部の他方の側端下部の凹部の下方に、隣接設置されている受け材における上記係止部片の下部に進入して、該凹部を設けた側の受け枠が上動するのが抑止される下敷板を設けたものとして構成し、また、上記受け材における上面板の周辺の全部または一部に、該上面板に載置固定するデッキ用板状材の該上面板上への固定の位置決めをする位置決め突片を設けたものとして構成される。
【０００７】
更に、本発明に係るデッキ材の他の好ましい実施形態においては、上記デッキ用板状材の受け材が、該受け材を構成する各要素をアルミニウム系金属材の押出成形によって一体化したものとして成型した押出成型材を、上面板の幅に相当する長さに切断することにより形成される。
また、上記デッキ用板状材の表面に付される微小な凹凸による立体的模様は、木目模様や大理石模様、或いは幾何学的模様等で、デッキ用板状材に作用する曲げ応力に対する強度低下を避けるものであることが望まれる。
更に、上記デッキ用板状材を上記受け材の上面板上に固定する接合剤としては、柔軟性のあるシリコーンシーラントが適切である。
【発明の効果】
【０００８】
以上に詳述した本発明のデッキ材によれば、平板状であるが、表面に木目模様や大理石模様等を凹凸によって付された装飾性の高い粗面として形成できると共に、その模様に適合する着色をも施し得るセラミックス材を、適切な金属材からなる受け材で補強を行うようにして支持させることにより、施工が容易で強度においてもすぐれ、仮に部分的に破損したとしてもそれを容易に補修できるようにしたデッキ材を提供することができる。
【図面の簡単な説明】
【０００９】
【図１】本発明に係るデッキ材の実施例を、その上部に載置固定しているデッキ用板状材の長手方向に対して直交する断面によって示す要部縦断面図である。
【図２】上記実施例における上部のデッキ用板状材を、中間部を省略して示す拡大平面図である。
【図３】上記デッキ用板状材を、中間部を省略して示す拡大下面図である。
【図４】図３のデッキ用板状材におけるＡ−Ａ線での部分拡大断面図である。
【図５】本発明に係るデッキ材の一部を分解して示す要部斜視図である。
【発明を実施するための形態】
【００１０】
図面は、本発明に係るデッキ材の実施の一例を示している。このデッキ材は、図１及び図５から分かるように、セラミックス材によって、ほぼ一定の断面形状で、例えば、板幅が１０〜２０ｃｍ、長さがほぼ１ｍ程度の平板状に成形された長尺のデッキ用板状材１０と、該デッキ用板状材１０を、根太或いはそれに相当する構造材３０上に並べて敷設するための、アルミニウム系金属材により形成された該デッキ用板状材１０の受け材２０とによって構成されるものである。なお、上記デッキ用板状材１０の厚さを含む板幅及び長さの各寸法は、施工が容易で強度においてもすぐれていることを前提にして選定されるべきものであって、ここで例示する寸法例は、単に一例として示しているに過ぎないものである。
【００１１】
上記デッキ用板状材１０は、図１及び図２に示すように、その表面に線条１２によって示す細い凸条部と、微小な凹凸を持つ粗面１３を主体とする立体的模様１１が付されているが、その立体的模様は、例えば、図２に示すような木目模様や、大理石模様、或いは幾何学的模様のように、板状材１０の成形を機械的に行うのに適した単純な形態が、セラミックス材の自動的な成形のために望ましい。また、上記微細な凹凸によって付された立体的模様１１には、その模様に適合する着色（例えば、木材の赤身と白太を模したもの・図示省略）が施される。一方、該板状材１０の裏面には、図３及び図４からわかるように、平坦面１５に該板状材の長手方向に対して交差する方向に向けた一定幅の淺溝１６を一定間隔で多数並設することにより、全体的には、平坦面をなす頂面１８ａを備えた多数の一定幅の凸支持条部１８が上記各淺溝１６間に並設されたものとして構成される。
【００１２】
一方、上記デッキ用板状材１０の受け材２０は、アルミニウム系金属材により、長さ及び幅を上記デッキ用板状材１０に適合させたところの、該デッキ用板状材の載置台部２１を備えている。図１に示すように、該載置台部２１は、上記デッキ用板状材１０の長さ及び幅と同一又はそれらの支持に適した寸法に設定したところの、上面板２２と下面板２３とを強固に結合することによって構成したものである。更に具体的には、該上面板２２と下面板２３とは、一定間隔を保持して結合するように上下に対向させると共に、それらの間に上記上面板２２及び下面板２３の長手方向に配設した複数のリブ２４を一体的に設けることにより、該上面板２２と下面板２３とを相互に連結し、それによってデッキ用板状材１０の載置を強固に行えるように形成されている。
【００１３】
上述したようなデッキ用板状材が、セラミックス材により単純に長尺の平板状に成形されている場合、その両端を支持して中央部分に外力を作用させると、該中央部分等に非常に大きな曲げ応力が作用し、その板状材がセラミックスのような高強度のものであっても折損するのが通例である。しかるに、上記受け材２０においては、デッキ用板状材１０の裏面の平坦面１５に、該板状材の長手方向に対して直交に近い方向に向けた一定幅の淺溝１６を一定間隔で多数並設することにより、全体的に平坦面をなす頂面１８ａを備えた多数の一定幅の凸支持条部１８が淺溝１６間に並設されたものとして、受け材２０で支持を行う凸支持条部１８間のスパンを非常に小さくし、しかも、それをアルミニウム系金属材からなる受け材の表面が平坦な載置台部の上面板上に載置固定するようにしているので、板状材１０に対して部分的に大きな曲げ応力が作用することはない。
【００１４】
更に、該載置台部２１は、その一方の側端下部に沿って該載置台部２１を根太等の構造材３０上に固定するための固定用部片２６を突設すると共に、該載置台部２１の他方の側端下部に、その設置時に隣接する載置台部２１の上記固定用部片２６に被着する凹部２５を形成することにより構成されている。該凹部２５は、固定用部片２６を固定ネジ３１等によって上記根太等の構造材３０に固定したうえで、該固定用部片２６の先端側を、隣接する受け材２０の凹部２５によって被包させ、その際の被包深さの調整により、左右の受け材２０を連設する際のデッキ材間の間隔を調整可能にするものである。なお、上記凹部２５の存在が載置台部２１におけるデッキ用板状材１０の支持強度に影響を与えることはなく、必要があれば下面板２３を補強すればよい。
【００１５】
また、上記載置台部２１に設けた固定用部片２６は、その先端側から係止部片２６ａを延出させ、一方、該載置台部２１の他方の側端下部の凹部２５の下方に、隣接設置される受け材２０における該係止部片２６ａの下部に進入して、該凹部２５を設けた側の受け材２０が上動するのを抑止する下敷板２５ａを設けているが、これらの構成は、上記構造材３０への載置台部２１の固定を安定化するために有効なものである。
【００１６】
一方、上記受け材２０においては、上面板２２の長手方向の一側縁に、該上面板２２に載置固定するデッキ用板状材１０の該上面板２２上への固定の位置決めをする上向きの位置決め突片２２ａを設け、載置固定するデッキ用板状材１０の位置決めの安定化を図っている。この位置決め突片２２ａの設置位置は、図１において示す一側縁に限るものではなく、該上面板２２の対向側縁に突設し、或いはそれらの両側縁に突設することもできる。
【００１７】
更に、図５に示すように、上記受け材２０の載置台部２１における上面板２２と下面板２３との間のリブ２４によって仕切られた空間は、原則として、デッキ用板状材１０の長手方向両端において、キャップ２７に付設した嵌合部２７ｂの嵌挿により閉鎖するが、該キャップの端板２７ａの上縁を、上記上面板２２の位置決め突片２２ａと同様な機能を持つものとして利用することができる。必要に応じてこのような構成を採用すれば、受け材２０の周辺の全部または一部に、上記位置決め突片２２ａと同等の機能を有する部材を設け、該受け材２０上に載置固定するデッキ用板状材１０の位置決めの安定化を図ることができる。
【００１８】
また、上記デッキ用板状材１０は、上記受け材２０における平坦な上面板２２上に、柔軟性のある接合剤、例えば、本発明者が実験的に好成績を得ているシリコーンシーラント等を介して、該板状材１０における裏面の平坦面１５をなす多数の凸支持条部１８の頂面１８ａを載置固定しておくことが望まれる。このシリコーンシーラント等の塗布は、必ずしもデッキ用板状材１０と受け材２０の対向面の全体である必要はなく、例えば、図５において鎖線で例示した領域２９内などの、平均的に均等な接合力が得られる範囲に塗着してもよい。このような柔軟性のある接合剤によるデッキ用板状材１０の受け材２０に対する固定は、その柔軟性によってデッキ用板状材１０に作用した衝撃力を緩和させるためにも有効なものと考えられる。
【００１９】
しかも、上述したデッキ材においては、表面に微小な凹凸によって着色された立体的模様１１を付すなどにより装飾性を高めたセラミックス材からなるデッキ用板状材１０を、アルミニウム系金属材からなる上面板２２と下面板２３とをリブ２４で強固に結合することによって構成した載置台部２１を主体とする受け材２０で補強を行うようにして支持させているので、デッキ材の施工が容易で強度においてもすぐれ、デッキ用板状材１０の破損を効果的に抑制することができ、しかも、上記デッキ用板状材１０は受け材２０にシリコーンシーラントで接合させているので、仮に部分的に板状材１０が外力等により破損したとしても、それを容易に交換して補修することができものである。
【００２０】
また、上記上面板２２と下面板２３とを、一定間隔を保持するように上下に対向させると共に、それらの間に設けた複数のリブ２４により相互に連結して、それをデッキ用板状材１０の載置台部２１としているので、設置用の受け材２０は非常に強固なものになってセラミックス材からなるデッキ用板状材１０の支持が安定し、その上、セラミックス材により平板状に成形されたデッキ用板状材１０の表面に微細な凹凸による立体的模様１１が存在するため、それに他物からの外力が作用したときには、その微細な凹凸のみの破損が先行し、大きな破損に至るのが可及的に抑制される。
【符号の説明】
【００２１】
１０      デッキ用板状材
１１      立体的模様
１５      平坦面
１６      淺溝
１８      凸支持条部
１８ａ    頂面
２０      受け材
２１      載置台部
２２      上面板
２３      下面板
２４      リブ
２５      凹部
２６      固定用部片
３０      構造材
【図１】
2020139285.tif 000003
【図２】
2020139285.tif 000004
【図３】
2020139285.tif 000005
【図４】
2020139285.tif 000006
【図５】
2020139285.tif 000007